(57)【要約】【課題】製造コストの上昇などを回避しつつ、非防水電気部品が水に濡れて故障する虞を適切に防止することが可能な燃焼装置を提供する。【解決手段】燃焼装置Ｃは、バーナ本体３を内部に収容するバーナケース２Ａに設けられ、かつバーナケース２Ａ内に水が進入したときにこの水をガス供給用マニホールドＧのうち、非防水電気部品９８を避けた箇所に向けて流れさせることが可能な排水部２５ａと、ガス供給用マニホールドＧに設けられ、かつ排水部２５ａから流れてきた水を非防水電気部品９８に向かわせることなくガス供給用マニホールドＧの下方に流れ落とすようにガイドする排水ガイド部５と、を備えている。【選択図】  図３
2018197625.tif 000002
【特許請求の範囲】
【請求項１】
バーナ本体を内部に収容するバーナケースと、
前記バーナ本体内に燃料ガスを供給することが可能な状態に前記バーナケースに取付けられ、かつ前記バーナケースの下方に位置する少なくとも１つの非防水電気部品を有しているガス供給用マニホールドと、
を備えている、燃焼装置であって、
前記バーナケースに設けられ、かつ前記バーナケース内に水が進入したときにこの水を前記ガス供給用マニホールドのうち、前記非防水電気部品を避けた箇所に向けて流れさせることが可能な排水部と、
前記ガス供給用マニホールドに設けられ、かつ前記排水部から流れてきた水を前記非防水電気部品に向かわせることなく前記ガス供給用マニホールドの下方に流れ落とすようにガイドする排水ガイド部と、
をさらに備えていることを特徴とする、燃焼装置。
【請求項２】
請求項１に記載の燃焼装置であって、
前記バーナケースには、このバーナケースに設けられた前面開口部の下縁に位置するように前記バーナケースの底壁部の前端部から上向きに起立し、かつ前記ガス供給用マニホールドの一部がシール用パッキンを介して対向接触する下部フランジ部が設けられており、
左右横幅方向における前記下部フランジ部と前記バーナケースの側壁部との相互間には隙間が形成されており、かつこの隙間が、前記排水部である、燃焼装置。
【請求項３】
請求項１または２に記載の燃焼装置であって、
前記ガス供給用マニホールドは、複数の燃料ガス噴出ノズルと、これら複数の燃料ガス噴出ノズルに燃料ガスを供給するための燃料ガス流通路と、この燃料ガス流通路の基端または途中に設けられた複数のバルブと、を備えており、
前記複数のバルブとしては、前記非防水電気部品が外面部に設けられている第１のバルブと、左右横幅方向において前記第１のバルブに隣接し、かつ外面部が防水性を有する外部ハウジングによって覆われている第２のバルブと、を備えており、
前記排水部は、前記バーナケース内の水を前記外部ハウジング部の上面部上に流すように設けられており、
前記排水ガイド部は、前記排水部から前記上面部上に流れてきた水を前記上面部の前側に導いてから下方に流れ落とすことが可能に、前記上面部に前後方向に延びる少なくとも１つの凸状部または凹状部が設けられた構成とされている、燃焼装置。
【請求項４】
請求項３に記載の燃焼装置であって、
前記ガス供給用マニホールドは、前記複数の燃料ガス噴出ノズルを有するメインボディと、このメインボディとの相互間に前記燃料ガス流通路が形成されるように前記メインボディに重ね合わされた蓋部材と、を備えており、
前記第２のバルブの前記外部ハウジング部および前記排水ガイド部は、前記メインボディに一体形成されている、燃焼装置。
【請求項５】
請求項１ないし４のいずれかに記載の燃焼装置と、
この燃焼装置によって発生された燃焼ガスから熱回収を行なうことにより湯水を加熱可能な熱交換器と、
を備えていることを特徴とする、給湯装置。
【発明の詳細な説明】
【技術分野】
【０００１】
本発明は、瞬間式給湯装置の構成要素などとして用いられる燃焼装置、およびこれを備えた給湯装置に関する。
【背景技術】
【０００２】
本出願人は、給湯装置の一例として、特許文献１に記載のものを先に提案している。
同文献に記載の給湯装置は、燃焼装置と、この燃焼装置によって発生された燃焼ガスから熱回収を行なうことにより湯水加熱を行なうための熱交換器とを備えている。前記燃焼装置は、複数のバーナ本体が収容されたバーナケース、前記複数のバーナ本体に燃料ガスを供給するためのガス供給用マニホールド(ノズルホルダ)、および前記バーナケース内に燃焼用空気を供給するためのファンなどを備えている。
【０００３】
同文献においては、バーナケース内に雨水などの水が進入した場合に、この水がガス供給用マニホールドに取付けられている電磁バルブのコイルなどの非防水電気部品に触れることを防止するための手段が講じられている。具体的には、この手段においては、バーナケースの下方に水受け部が設けられており、バーナケース内の水はこの水受け部上に流れ落ちることにより、前記非防水電気部品とは異なる方向にガイドされるように構成されている。このような構成によれば、非防水電気部品が水に濡れて故障する不具合を適切に防止することが可能である。
【０００４】
しかしながら、前記従来技術においては、バーナケースの下方に、水をガイドするための専用部品としての水受け部を設けているため、この分だけ部品点数が増加する。このため、構造の複雑化や組み付け作業の煩雑化などを招き、製造コストの上昇を招く不具合がある。
【先行技術文献】
【特許文献】
【０００５】
【特許文献１】特開平０７−４７４８号公報
【発明の概要】
【発明が解決しようとする課題】
【０００６】
本発明は、前記したような事情のもとで考え出されたものであり、製造コストの上昇などを回避しつつ、非防水電気部品が水に濡れて故障する虞を適切に防止することが可能な燃焼装置、およびこれを備えた給湯装置を提供することを、その課題としている。
【課題を解決するための手段】
【０００７】
上記の課題を解決するため、本発明では、次の技術的手段を講じている。
【０００８】
本発明の第１の側面により提供される燃焼装置は、バーナ本体を内部に収容するバーナケースと、前記バーナ本体内に燃料ガスを供給することが可能な状態に前記バーナケースに取付けられ、かつ前記バーナケースの下方に位置する少なくとも１つの非防水電気部品を有しているガス供給用マニホールドと、を備えている、燃焼装置であって、前記バーナケースに設けられ、かつ前記バーナケース内に水が進入したときにこの水を前記ガス供給用マニホールドのうち、前記非防水電気部品を避けた箇所に向けて流れさせることが可能な排水部と、前記ガス供給用マニホールドに設けられ、かつ前記排水部から流れてきた水を前記非防水電気部品に向かわせることなく前記ガス供給用マニホールドの下方に流れ落とすようにガイドする排水ガイド部と、をさらに備えていることを特徴としている。
【０００９】
このような構成によれば、次のような効果が得られる。
第１に、バーナケース内に水が進入した場合、この水はバーナケースの排水部から排水ガイド部に流れるが、排水ガイド部は、前記水を非防水電気部品に向かわせることなく、ガス供給用マニホールドの下方に流れ落とすようにガイドする。このため、ガス供給用マニホールドの非防水電気部品が水に濡れて故障するといった虞を適切に防止することができる。
第２に、前記排水ガイド部は、ガス供給用マニホールドに設けられており、この排水ガイド部をバーナケースやガス供給用マニホールドとは別体の専用部材を用いて構成する必要はない。このため、構造の複雑化や組み付け作業の煩雑化などを抑制し、全体の製造コストを前記従来技術よりも低減することが可能である。
【００１０】
本発明において、好ましくは、前記バーナケースには、このバーナケースに設けられた前面開口部の下縁に位置するように前記バーナケースの底壁部の前端部から上向きに起立し、かつ前記ガス供給用マニホールドの一部がシール用パッキンを介して対向接触する下部フランジ部が設けられており、左右横幅方向における前記下部フランジ部と前記バーナケースの側壁部との相互間には隙間が形成されており、かつこの隙間が、前記排水部である。
【００１１】
このような構成によれば、バーナケース内に進入した水を前記排水部からガス供給用マニホールドに設けられている排水ガイド部上に円滑に流れさせることができる。たとえば、バーナケースの底壁部の途中位置に排水部を設けたような構成においては、バーナケース内の水の多くが排水部から外部に排出され難くなったり、あるいはバーナケース内にファンから燃焼用空気を供給させた場合に、この燃焼用空気の多くが前記排水部からバーナケースの外部に漏出するといった不具合を生じ易くなるが、前記構成によれば、そのような不具合を適切に解消することも可能である。
【００１２】
本発明において、好ましくは、前記ガス供給用マニホールドは、複数の燃料ガス噴出ノズルと、これら複数の燃料ガス噴出ノズルに燃料ガスを供給するための燃料ガス流通路と、この燃料ガス流通路の基端または途中に設けられた複数のバルブと、を備えており、前記複数のバルブとしては、前記非防水電気部品が外面部に設けられている第１のバルブと、左右横幅方向において前記第１のバルブに隣接し、かつ外面部が防水性を有する外部ハウジング部によって覆われている第２のバルブと、を備えており、前記排水部は、前記バーナケース内の水を前記外部ハウジング部の上面部上に流すように設けられており、前記排水ガイド部は、前記排水部から前記上面部上に流れてきた水を前記上面部の前側に導いてから下方に流れ落とすことが可能に、前記上面部に前後方向に延びる少なくとも１つの凸状部または凹状部が設けられた構成とされている。
【００１３】
このような構成によれば、バーナケース内の水は、排水部からガス供給用マニホールドが具備する第２のバルブの外部ハウジング部の上面部上に流れてから排水ガイド部によって前記上面部の正面側にガイドされ、その後にその下方に流れ落ちる。このため、第２のバルブに隣接する第１のバルブの外面部に設けられている非防水電気部品が水に濡れることが適切に防止される。一方、第２のバルブは、防水性を有する外部ハウジング部によって覆われた構成であるため、この第２のバルブが水に濡れることに起因して故障するといった不具合はない。
【００１４】
本発明において、好ましくは、前記ガス供給用マニホールドは、前記複数の燃料ガス噴出ノズルを有するメインボディと、このメインボディとの相互間に前記燃料ガス流通路が形成されるように前記メインボディに重ね合わされた蓋部材と、を備えており、前記第２のバルブの前記外部ハウジング部および前記排水ガイド部は、前記メインボディに一体形
成されている。
【００１５】
このような構成によれば、排水ガイド部がガス供給用マニホールドのメインボディに一体形成されているため、その構成はより合理的であり、製造コストの低減化などを徹底して図ることが可能である。
【００１６】
本発明の第２の側面により提供される給湯装置は、本発明の第１の側面により提供される燃焼装置と、この燃焼装置によって発生された燃焼ガスから熱回収を行なうことにより湯水を加熱可能な熱交換器と、を備えていることを特徴としている。
【００１７】
このような構成によれば、本発明の第１の側面により提供される燃焼装置について述べたのと同様な効果が得られる。
【００１８】
本発明のその他の特徴および利点は、添付図面を参照して以下に行なう発明の実施の形態の説明から、より明らかになるであろう。
【図面の簡単な説明】
【００１９】
【図１】本発明に係る給湯装置の一例を示す斜視図である。
【図２】図１に示す燃焼装置の分解斜視図である。
【図３】図１および図２に示す燃焼装置のガス供給用マニホールドを図２とは反対方向から見た要部分解斜視図である。
【図４】（ａ）は、図３の要部拡大斜視図であり、（ｂ）は、（ａ）のIVb−IVb要部平面断面図である。
【図５】図１のＶ−Ｖ断面図である。
【図６】図１のVI−VI断面図である。
【発明を実施するための形態】
【００２０】
以下、本発明の好ましい実施の形態について、図面を参照して具体的に説明する。
【００２１】
図１に示す給湯装置ＷＨは、燃焼装置Ｃと、第１および第２の熱交換器１Ａ，１Ｂとを具備している。第１および第２の熱交換器１Ａ，１Ｂは、たとえば複数のプレート状のフィン１０ａ，１０ｂ、およびこれらに挿通した伝熱管１１ａ，１１ｂが缶体１２ａ，１２ｂ内に収容された構成である。第１の熱交換器１Ａは、暖房給湯用または風呂給湯用の熱交換器である。第２の熱交換器１Ｂは、一般給湯用の熱交換器であり、第１の熱交換器１Ａよりもサイズが大きい。
【００２２】
燃焼装置Ｃは、第１および第２の熱交換器１Ａ，１Ｂがそれぞれ載設され、かつ互いに横幅方向に並んだ状態に配置される上面開口状の第１および第２のバーナケース２Ａ，２Ｂと、これらの内部に収容された複数のバーナ本体（ガス燃焼管）３と、これら複数のバーナ本体３に燃料ガスを供給するためのガス供給用マニホールドＧとを具備している。バーナ本体３が駆動燃焼されることにより燃焼ガスが発生すると、この燃焼ガスから第１および第２の熱交換器１Ａ，１Ｂによって熱回収がなされ、給湯用の湯水加熱が行なわれる。
【００２３】
給湯装置ＷＨは、好ましくは、第１および第２のバーナケース２Ａ，２Ｂ内に外部から雨水が進入することは阻止される構成とされている。ただし、給湯装置ＷＨを設置した後には、第１の熱交換器１Ａの伝熱管１１ａをはじめとしてこれに繋がった暖房給湯用配管の全域に水張りを行なった上で試運転を行なう。その際、第１の熱交換器１Ａの伝熱管１１ａやフィン１０ａの外面に結露が発生し、この結露水が第１のバーナケース２Ａ内に流れ込む場合がある。このことに対応し、本実施形態においては、後述するように、第１の
バーナケース２Ａ内に水が進入することに対する対応策（排水ガイド部５）が講じられている。
一方、第２の熱交換器１Ｂは、一般給湯用であるため、前記したような結露水は発生せず、第２のバーナケース２Ｂ内に結露水が流れ込む虞はない、または殆どない。したがって、第２のバーナケース２Ｂ内に水が進入することに対する対応策は講じられていない。
【００２４】
図２において、バーナ本体３は、燃料ガス供給口３０を有し、かつ上面部が炎孔面３１とされた偏平状である。複数のバーナ本体３は、第１および第２のバーナケース２Ａ，２Ｂ内にこれらの横幅方向に並んだ状態で収容されている。図５に示すように、第１のバーナケース２Ａ内には、第１のバーナケース２Ａの底壁部２０に取付けられたファン９から燃焼用空気が供給される。この燃焼用空気の一部（１次空気）は、ガス供給用マニホールドＧの後述する燃料ガス噴出ノズル４０から噴出される燃料ガスと混合された状態で各バーナ本体３の燃料ガス供給口３０に流入する。前記燃焼用空気の他の一部（２次空気）は、バーナ本体３を支持する整流板２９の複数の通気孔２９ａを通過してバーナ本体３の設置領域に供給される。符号９０，９１は、点火プラグおよびフレームロッド（炎検知用ロッド）である。図示説明は省略するが、第２のバーナケース２Ｂの内部構造は、前記した第１のバーナケース２Ａの内部構造と同様である。
【００２５】
図３によく表われているように、ガス供給用マニホールドＧは、複数の燃料ガス噴出ノズル４０（４０ａ，４０ｂ）、これら複数の燃料ガス噴出ノズル４０が設けられた領域よりも下方の領域に設けられた元ガス電磁バルブＶ１、２つの比例制御バルブＶ２ａ，Ｖ２ｂ、ならびに複数の電磁開閉バルブＶ３ａ，Ｖ３ｂ、および比例制御バルブＶ２ａの上面部６０に設けられた排水ガイド部５を備えている。燃料ガスは、不図示のガス供給源からガス管を介して元ガス電磁バルブＶ１に供給され、これを通過した後に２つの比例制御バルブＶ２ａ，Ｖ２ｂに分岐供給されてから電磁開閉バルブＶ３ａ，Ｖ３ｂを通過して燃料ガス噴出ノズル４０ａ，４０ｂにそれぞれ供給されるようになっている。
【００２６】
図５に示すように、ガス供給用マニホールドＧは、複数の燃料ガス噴出ノズル４０が設けられているメインボディ４と、このメインボディ４の片面に重ね合わされて固定連結された蓋部材４Ａとをさらに備えている。これらメインボディ４と蓋部材４Ａとの相互間には、複数の燃料ガス噴出ノズル４０に燃料ガスを供給するための複数の燃料ガス流通路４１が形成されている。電磁開閉バルブＶ３ａ，Ｖ３ｂは、燃料ガス流通路４１の基端または途中に設けられており、往復動可能な弁本体８０によって弁開口部８１を開閉することにより、燃料ガス噴出ノズル４０への燃料ガス供給のオン・オフが切替えられる。
【００２７】
図２によく表われているように、ガス供給用マニホールドＧは、第１および第２のバーナケース２Ａ，２Ｂの前面部に複数のビス９３およびネジ孔２８ａ，２８ｂを利用して取付けられる。より具体的には、第１および第２のバーナケース２Ａ，２Ｂには、前面開口部２１ａ，２１ｂと、この前面開口部２１ａ，２１ｂの下縁および両側縁に位置する下部フランジ部２２ａ，２２ｂおよび横フランジ部２３ａ，２３ｂとが設けられている。ガス供給用マニホールドＧは、その前面（燃料ガス噴出ノズル４０が設けられている側の面）部分が、下部フランジ部２２ａ，２２ｂ、横フランジ部２３ａ，２３ｂ、および前面開口部２１ａ，２１ｂの上縁部に、ループ状のシール用パッキン７ａ，７ｂ（図３の網点模様部分）を介して対向接触するように設定された上で第１および第２のバーナケース２Ａ，２Ｂに取付けられている。この取付けにより、複数の燃料ガス噴出ノズル４０ａ，４０ｂは、複数のバーナ本体３の燃料ガス供給口３０に向けて燃料ガスを噴出可能である。
【００２８】
第１のバーナケース２Ａの下部フランジ部２２ａは、第１のバーナケース２Ａの底壁部２０の前端部から上向きに起立して左右横幅方向に延びた構成である。ただし、この下部フランジ部２２ａの左右両端部と、第１のバーナケース２Ａの左右両側壁部２４との間に
は、第１のバーナケース２Ａ内の水を外部に排出可能な排水部２５ａ，２５ｂとしての隙間が形成されている。この排水部２５ａ，２５ｂ（隙間）は、シール用パッキン７ａによって塞がれている場合であっても、水がこのシール用パッキン７ａを浸透することにより、外部への排水が可能である。第１のバーナケース２Ａの内部は、ファン９の吐出圧によって大気圧よりも高圧となっているため、第１のバーナケース２Ａ内の水を外部に円滑に排出させることが可能である。
第２のバーナケース２Ｂの下部フランジ部２２ｂの左右両側には隙間２５ｃ，２５ｄが形成されている。ただし、既述したように、第２のバーナケース２Ｂ内に水が進入する虞はなく、または殆どないため、本実施形態において、隙間２５ｃ，２５ｄは、本発明でいう排水部には相当しない。
【００２９】
図３において、排水部２５ａ，２５ｂは、ガス供給用マニホールドＧの前面の符号Ｐａ，Ｐｂで示す位置にそれぞれ対向している。第１のバーナケース２Ａの水は、排水部２５ａ，２５ｂからそれらの位置Ｐａ，Ｐｂに向けて排水されてから、ガス供給用マニホールドＧの前面を伝って下方に流れ落ちていく。位置Ｐｂは、ガス供給用マニホールドＧの横幅方向の端部であり、この位置Ｐｂの下方には、電磁開閉バルブＶ３ａなどの機器および電気部品類は設けられていない。したがって、位置Ｐｂから矢印Ｎｂで示すように水が下方に流れたとしても、電磁開閉バルブＶ３ａなどの機器および電気部品類が水に濡れるようなことはない。
【００３０】
他方の位置Ｐａは、比例制御バルブＶ２ａの上側であり、この位置Ｐａに流れてきた水は、その後ガス供給用マニホールドＧの前面を伝って比例制御バルブＶ２ａの外部ハウジング部６の上面部６０上に流れ落ちる（図６も参照）。これに対応し、図４によく表われているように、上面部６０上には、排水ガイド部５が設けられている。この排水ガイド部５は、ガス供給用マニホールドＧの前後方向に延びる一対の凸状部５０ａ，５０ｂを横幅方向に間隔を隔てるようにして上面部６０上に設けることによって構成されており、それら一対の凸状部５０ａ，５０ｂの相互間領域に水が流れるようにされている。
【００３１】
本実施形態においては、複数の電磁開閉バルブＶ３ａが、本発明でいう第１のバルブに相当し、比例制御バルブＶ２ａが、本発明でいう第２のバルブに相当する。電磁開閉バルブＶ３ａは、本発明でいう非防水電気部品の一例として、電気配線接続用の非防水コネクタ９８を具備しており、排水ガイド部５は、非防水コネクタ９８の方向に向けて水が流れることを阻止するように構成されている。好ましくは、排水ガイド部５を構成する一対の凸状部５０ａ，５０ｂのうち、少なくとも電磁開閉バルブＶ３ａ寄りの凸状部５０ａは、シール用パッキン７ａの装着位置から比例制御バルブＶ２ａの上面部６０の前縁部６０ａに到るまで一連に延びている。このことにより、排水ガイド部５を流れる水は、矢印Ｎａで示すように、上面部６０の前縁部６０ａに確実に到達してから比例制御バルブＶ２ａの前面壁を伝って下方に流れ落ちるようになっている。
【００３２】
比例制御バルブＶ２ａの外部ハウジング部６のうち、前記した排水ガイド部５が設けられている上部は、ガス供給用マニホールドＧのメインボディ４に一体形成されており、防水性を有している。外部ハウジング部６のうち、前面壁などの他の外面部分も防水性を有している。比例制御バルブＶ２ａの下部寄りの位置には、電気配線用の非防水タイプのコネクタ９９が具備されているが、比例制御バルブＶ２ａの前面壁を下向きに流れ落ちる水は、このコネクタ９９の位置に到達しないようにされている。
【００３３】
次に、前記した燃焼装置Ｃを備えた給湯装置ＷＨの作用について説明する。
【００３４】
まず、第１の熱交換器１Ａにおいて結露が発生し、この結露水が第１のバーナケース２Ａ内に流れ込んで底壁部２０上に到達すると、この水は、排水部２５ａ，２５ｂを通過し
、図３で示したガス供給用マニホールドＧの前面の位置Ｐａ，Ｐｂに進行してから下方に流れる。既述したように、位置Ｐｂの下方には、電磁開閉バルブＶ３ａなどの機器および電気部品類が設けられていないため、位置Ｐｂから下方に流れる水が燃焼装置Ｃの故障を引き起こすことはない。
【００３５】
一方、位置Ｐａに進行した水は、既述したように、比例制御バルブＶ２ａの上面部６０上に流れて落ちてから排水ガイド部５を通過して上面部６０の前縁部６０ａに到達し、そのまま比例制御バルブＶ２ａの前面壁を伝ってその下方に流れ落ちる。本実施形態とは異なり、排水ガイド部５が設けられていない場合には、たとえば図４（ｂ）の矢印Ｎｃで示すように、水が電磁開閉バルブＶ３ａに向けて流れ、非防水コネクタ９８を濡らす虞がある。これに対し、本実施形態によれば、そのような虞をなくし、非防水コネクタ９８が水に濡れて故障する不具合を適切に回避することが可能である。
【００３６】
本実施形態においては、排水ガイド部５が比例制御バルブＶ２ａに設けられており、いわばガス供給用マニホールドＧ自体を排水ガイドに利用している。したがって、ガス供給用マニホールドＧとは別個に排水ガイド手段を設ける場合と比較すると、その構成は合理的である。また、排水ガイド部５は、比例制御バルブＶ２ａの外部ハウジング部６を構成するメインボディ４に一体形成されているため、その形成は容易である他、部品点数の削減、部品組み立て作業の簡素化などを好適に図ることができる。したがって、燃焼装置Ｃの製造コストを低減する上で好ましいものとなる。
【００３７】
本発明は、上述した実施形態の内容に限定されない。本発明に係る燃焼装置、および給湯装置の各部の具体的な構成は、本発明の意図する範囲内において種々に設計変更自在である。
【００３８】
上述の実施形態においては、第２のバーナケース２Ｂ内には水が進入する虞がない、または殆どないため、第２のバーナケース２Ｂ内から隙間２５ｃ，２５ｄを通過して水が流出することに対してはとくに対応策が採用されていない。ただし、これに代えて、第２のバーナケース２Ｂの隙間２５ｃ，２５ｄから水が流出する場合に対応するための排水ガイド部をさらに設けた構成とすることもできる。
また、排水対象となる水は、結露水に代えて、または加えて、雨水などとすることもできる。
【００３９】
排水ガイド部は、必ずしも凸状部が複数設けられた構成とされていなくてもよい。たとえば、上述の実施形態においては、一対の凸状部５０ａ，５０ｂのうち、一方の凸状部５０ａのみが設けられ、他方の凸状部５０ｂが省略された構成であっても、電磁開閉バルブＶ３ａの非防水コネクタ９８に向けて水が流れることを阻止することが可能であり、そのような構成とすることも可能である。また、排水ガイド部は、凹状部として構成し、この凹状部内を水が流れるように構成してもよい。余り現実的ではないが、排水ガイド部をトンネル状の孔部として構成することも可能である。さらに、排水ガイド部は、必ずしもガス供給用マニホールドの前後方向に正確に延びている必要はなく、要は、水が所望の非防水電気部品に向けて流れないように設けられていればよい。
【００４０】
上述の実施形態においては、排水ガイド部が比例制御バルブの上面部に設けられているが、これに限定されない。排水ガイド部は、ガス供給用マニホールドの、比例制御バルブとは異なるバルブ、またはバルブ以外の箇所に設けることが可能である。
【００４１】
本発明でいう排水部としては、バーナケースの側壁部と下部フランジ部との相互間に形成された隙間として構成されたものに代えて、または加えて、たとえばバーナケースの底壁部に設けられた孔部として構成することもできる。
【００４２】
本発明に係る燃焼装置は、給湯装置用に限定されず、たとえば暖房用や焼却炉用などの燃焼装置として構成することが可能である。本発明に係る給湯装置は、バーナケースを複数備えたものに限らず、バーナケースを１つのみ備えた給湯装置として構成することもできる。
【符号の説明】
【００４３】
Ｃ  燃焼装置
Ｇ  ガス供給用マニホールド
ＷＨ  給湯装置
Ｖ２ａ  比例制御バルブ（第２のバルブ）
Ｖ３ａ  電磁開閉バルブ（第１のバルブ）
１Ａ  第１の熱交換器（熱交換器）
２Ａ  第１のバーナケース（バーナケース）
２０  底壁部
２２ａ  下部フランジ部
２５ａ，２５ｂ  排水部
３  バーナ本体
４  メインボディ（ガス供給用マニホールドの）
４Ａ  蓋部材（ガス供給用マニホールドの）
４０  燃料ガス噴出ノズル
４１  燃料ガス流通路
５  排水ガイド部
５０ａ，５０ｂ  凸状部
６  外部ハウジング部
６０  上面部
６０ａ  前縁部（上面部の）
９８  非防水コネクタ（非防水電気部品）
【図１】
2018197625.tif 000003
【図２】
2018197625.tif 000004
【図３】
2018197625.tif 000005
【図４】
2018197625.tif 000006
【図５】
2018197625.tif 000007
【図６】
2018197625.tif 000008